【事件の表示】
　特許第２７８０３１８号「投写型カラー表示装置」の請求項１ないし６に係る特許に対する特許異議の申立てについて、次のとおり決定する。
【結論】
　訂正を認める。
　特許第２７８０３１８号の請求項６に係る特許を維持する。
【理由】
Ｉ．手続きの経緯
　本件特許第２７８０３１８号に係る発明は、平成１年３月２８日に特許出願され、平成１０年５月１５日にその発明ついて特許の設定登録がなされた後、その特許について、特許異議申立人石田保、株式会社東芝、杉浦一子、菅原益夫及び大野幸子より特許異議申立がなされ、取消理由通知がなされ、その指定期間内である平成１１年７月３０日に訂正請求がなされたものである。
ＩＩ．訂正の適否についての判断
１．訂正の内容
▲１▼訂正事項ａ
　明細書の特許請求の範囲の請求項１〜５を削除する。
▲２▼訂正事項ｂ
　明細書の特許請求の範囲の請求項６において、「青色光赤」を「青色光」と訂正し、
　「前記色分離手段と前記第１の液晶ライトバルブの偏光板との間の光路内に、該色分離手段により分離された赤色光を反射するミラーとして赤外線透過型ミラーを配置し、」を
「前記色分離手段と前記第１の液晶ライトバルブの偏光板との間の赤色光の光路内に、該色分離手段により分離された赤色光を反射し赤外線を透過するミラーとして赤外線透過型ミラーを配置し、該赤外線透過型ミラーによって反射された赤外線を含まない赤色光を前記第１の液晶ライトバルブに入射させ、」と訂正し、
　「前記光源と前記第３の液晶ライトバルブの偏光板との間の光路内に紫外線遮光手段を配置する」を
「前記色分離手段と前記第３の液晶ライトバルブの偏光板との間の青色光の光路内に、該色分離手段により分離された青色光を反射し紫外線を透過するミラーとして紫外線透過型ミラーを配置し、該紫外線透過型ミラーによって反射された紫外線を含まない青色光を前記第３の液晶ライトバルブに入射させる」と訂正するとともに、
　訂正した請求項６を請求項１に繰り上げる。
▲３▼訂正事項ｃ
　明細書第３頁第３〜９行（平成８年３月７日付け手続補正書第１頁第７行〜第２頁第１８行）において、
　「第１に、光源と、該光源からの…第５に光源と、該光源からの光を赤色光、緑色光、青色光赤に分離する」（上記手続補正書第１頁第７行〜第２頁第８行）を
「光源と、該光源からの光を赤色光、緑色光、青色光に分離する」と訂正し、
　「前記色分離手段と前記第１の液晶ライトバルブの偏光板との間の光路内に、該色分離手段により分離された赤色光を反射するミラーとして赤外線透過型ミラーを配置し、」（上記手続補正書第２頁第１５〜１７行）を
「前記色分離手段と前記第１の液晶ライトバルブの偏光板との間の赤色光の光路内に、該色分離手段により分離された赤色光を反射し赤外線を透過するミラーとして赤外線透過型ミラーを配置し、該赤外線透過型ミラーによって反射された赤外線を含まない赤色光を前記第１の液晶ライトバルブに入射させ、」と訂正し、
　「前記光源と前記第３の液晶ライトバルブの偏光板との間の光路内に紫外線遮光手段を配置する」（上記手続補正書第２頁第１７〜１８行）を「前記色分離手段と前記第３の液晶ライトバルブの偏光板との間の青色光の光路内に、該色分離手段により分離された青色光を反射し紫外線を透過するミラーとして紫外線透過型ミラーを配置し、該紫外線透過型ミラーによって反射された紫外線を含まない青色光を前記第３の液晶ライトバルブに入射させる」と訂正する。
▲４▼訂正事項ｄ
　明細書第３頁第１０行の「〔実施例〕」を「〔参考例〕」と訂正する。
▲４▼訂正事項ｅ
　明細書第３頁第１１行の「本発明の一実施例」を「本発明の参考例」と訂正する。
▲５▼訂正事項ｆ
　明細書第３頁第１３行の「本発明」を「本発明の参考例」と訂正する。
▲６▼訂正事項ｇ
　明細書第５頁第１９行の「〔実施例２〕」を「〔実施例〕」と訂正する。
▲７▼訂正事項ｈ
　明細書第５頁第２０行の「第２の実施例」を「実施例」と訂正する。
▲８▼訂正事項ｉ
　明細書第８頁第３〜５行の「光源と透過型液晶ライトバルブとの間に紫外線遮光フィルター及び赤外線遮光フィルターを置く構造」を
「色分離手段と透過型液晶ライトバルブの偏光板との間に赤色光を反射し赤外線を透過する赤外線透過型ミラー及び青色光を反射し紫外線を透過する紫外線透過型ミラーを置く構造」と訂正する。
▲９▼訂正事項ｊ
　図面の簡単な説明において、
　「第１図は、本発明」を「第１図は、参考例」と訂正し、
　「第３図は、本発明」を「第３図は、参考例」と訂正し、
　「第４図は、本発明」を「第４図は、参考例」と訂正し、
　「第５図は、本発明」を「第５図は、参考例」と訂正する。
２．訂正の目的の適否、新規事項の有無及び拡張・変更の存否
　▲１▼上記訂正事項ａについては、特許請求の範囲の請求項１〜５を削除するもので、特許請求の範囲の減縮を目的とするものである。
　▲２▼上記訂正事項ｂについては、特許請求の範囲の請求項６を訂正するもので、
　「青色光赤」を「青色光」と訂正する点は、「青色光」と記載すべきものを「青色光赤」と記載した誤りを訂正するもので、誤記の訂正を目的とするものである。
　「前記色分離手段と前記第１の液晶ライトバルブの偏光板との間の光路内に、該色分離手段により分離された赤色光を反射するミラーとして赤外線透過型ミラーを配置し、」を「前記色分離手段と前記第１の液晶ライトバルブの偏光板との間の赤色光の光路内に、該色分離手段により分離された赤色光を反射し赤外線を透過するミラーとして赤外線透過型ミラーを配置し、該赤外線透過型ミラーによって反射された赤外線を含まない赤色光を前記第１の液晶ライトバルブに入射させ、」と訂正する点は、赤外線透過型ミラーが配置される光路を赤色光の光路に限定するとともに、赤外線透過型ミラーについて、「色分離手段により分離された赤色光を反射し赤外線を透過するミラーとして赤外線透過型ミラー」に限定し、「該赤外線透過型ミラーによって反射された赤外線を含まない赤色光を前記第１の液晶ライトバルブに入射させ、」なる限定を行なって、第１の液晶ライトバルブに赤外線を含まない赤色光が入射されるものであることを明確にするもので、特許請求の範囲の減縮、および、明瞭でない記載の釈明を目的とするものである。
　「前記光源と前記第３の液晶ライトバルブの偏光板との間の光路内に紫外線遮光手段を配置する」を「前記色分離手段と前記第３の液晶ライトバルブの偏光板との間の青色光の光路内に、該色分離手段により分離された青色光を反射し紫外線を透過するミラーとして紫外線透過型ミラーを配置し、該紫外線透過型ミラーによって反射された紫外線を含まない青色光を前記第３の液晶ライトバルブに入射させる」と訂正する点は、紫外線透過型ミラーが配置される光路を青色光の光路に限定するとともに、「紫外線遮光手段」を「青色光を反射し紫外線を透過するミラーとして紫外線透過型ミラー」に限定するとともに、「該紫外線透過型ミラーによって反射された紫外線を含まない青色光を前記第３の液晶ライトバルブに入射させ、」なる限定を行なって、第３の液晶ライトバルブに紫外線を含まない青色光が入射されるものであることを明確にするもので、特許請求の範囲の減緒、および、明瞭でない記載の釈明を目的とするものである。
　訂正した請求項６を請求項１に繰り上げる点は、請求項１〜５が削除された結果に基づくものであり、明瞭でない記載の釈明を目的とするものである。
　▲３▼上記訂正事項ｃについては、問題点を解決するための手段の項の記載を、特許請求の範囲の記載と合致させるための訂正であり、明瞭でない記載の釈明を目的とするものである。
　▲４▼、▲５▼、▲６▼上記訂正事項ｄ，ｅ，ｆについては、実施例として記載した部分が、特許請求の範囲の減縮に伴って、本発明の実施例に該当しなくなったことにより、これを参考例とするもので、明瞭でない記載の釈明を目的とするものである。
　▲７▼、▲８▼上記訂正事項ｇ、ｈについては、実施例２を実施例にするものであり、訂正前の実施例１が実施例に該当しなくなったことによる訂正であり、明瞭でない記載の釈明を目的とするものである。
　▲９▼上記訂正事項ｉについては、特許請求の範囲が減縮されたことに伴うもので、明瞭でない記載の釈明を目的とするものである。
　▲１０▼上記訂正事項ｊについては、ｄ〜ｈの訂正に伴う訂正であり、明瞭でない記載の釈明を目的とするものである。
　そして、上記いずれの訂正も実質上特許請求の範囲を拡張し、又は変更するものでもない。
３．独立特許要件
（１）本件発明
　平成１１年７月３０日付け訂正明細書の請求項１に係る発明（以後、「本件発明」という。）は、その訂正明細書の特許請求の範囲の請求項１に記載された事項により特定される次のとおりのものである。
「【請求項１】光源と、該光源からの光を赤色光、緑色光、青色光に分離する色分離手段と、分離された後の赤色光を変調する第１の液晶ライトバルブと、分離された後の緑色光を変調する第２の液晶ライトバルブと、分離された後の青色光を変調する第３の液晶ライトバルブと、該第１、第２及び第３の液晶ライトバルブにより変調された色光を合成する色合成手段と、該色合成手段により合成された光を投写する投写光学手段とを備える投写型カラー表示装置において、
　前記各液晶ライトバルブは該ライトバルブの前記光源側に偏光板をそれぞれ配置し、
　前記色分離手段と前記第１の液晶ライトバルブの偏光板との間の赤色光の光路内に、該色分離手段により分離された赤色光を反射し赤外線を透過するミラーとして赤外線透過型ミラーを配置し、該赤外線透過型ミラーによって反射された赤外線を含まない赤色光を前記第１の液晶ライトバルブに入射させ、
　前記色分離手段と前記第３の液晶ライトバルブの偏光板との間の青色光の光路内に、該色分離手段により分離された青色光を反射し紫外線を透過するミラーとして紫外線透過型ミラーを配置し、該紫外線透過型ミラーによって反射された紫外線を含まない青色光を前記第３の液晶ライトバルブに入射させることを特徴とする投写型カラー表示装置。」
（２）当審が通知した取消理由に引用された引用刊行物に記載の発明
▲１▼刊行物１（特開昭６４−２５１８７号公報）には、次の事項が記載されている。
　光源からの光から赤外線をカットする熱線カットフィルタ４ばかりでなく、紫外線をカットする紫外線カットフィルタ５を光路内に配置し、液晶ライトバルブの偏光板への熱線と紫外線の入射を防止する投写型液晶表示装置。
▲２▼刊行物２（特開昭６３−２１６０２６号公報）には、次の事項が記載されている。
　光源と、該光源からの光を赤色光，緑色光，青色光赤に各々別々に分離透過させるダイクロイツクミラーと、分離された後の赤色光を変調する第１の液晶表示板と、分離された後の緑色光を変調する第２の液晶表示板と、分離された後の青色光を変調する第３の液晶表示板と、該第１，第２及び第３の液晶表示板により変調された色光を合成する色合成手段と、該色合成手段により合成された光を投写する投写光学手段とを備える投写型液晶表示装置において、前記各液晶表示板は該表示板の前記光源側に偏光板をそれぞれ配置し、前記光源と前記第１の液晶表示板の偏光板との間の光路内に、赤外線透過型ミラーを配置することを特徴とする投写型液晶表示装置。
▲３▼刊行物３（特開昭６３−２３４２８１号公報）には、次の事項が記されている。
　色分離手段と、分離された後の赤色光を変調する第１の液晶表示板との間の赤色光の光路内に、色分離手段により分離された赤色光を反射し赤外線を透過するミラーとしてコールドミラーを設けたことを特徴とする投写型液晶表示装置。
▲４▼刊行物４（特開昭６２−４２１８２号公報）には、次の事項が記されている。
　液晶ライトバルブが偏光板を備えていることが周知であること。
▲５▼刊行物５（特開昭６１−１３０９８３号公報）
▲６▼刊行物６（特開昭６４−７４５８５号公報）
▲７▼刊行物７（特開昭６３−１０１２８号公報）
▲８▼刊行物８（特開昭５４−１４６９９５号公報）
▲９▼刊行物９（特開昭５６−１９２６９号公報）
▲１０▼刊行物１０（実願昭６１−９８７２５号（実開昭６３−４５１６号）の願書に添付された明細書および図面の内容を撮影したマイクロフィルム）
▲１１▼刊行物１１　米国特許明細書第４，７６３，９９３号
▲１２▼刊行物１２（特開昭６３−１５２２５号公報）
▲１３▼刊行物１３（特表昭６２−５０２１４９号公報）
▲１４▼刊行物１４（特開昭６４−２８６７８号公報）
　投写光源と液晶ライトバルブと投射レンズからなる投写型液晶表示装置において、前記投写型光源と前記液晶ライトバルブの間に紫外線反射層を有する熱線カットフィルターを設けたことを特徴とする投写型液晶表示装置。
▲１５▼刊行物１５（特開昭６３−１１６１２３号公報）
▲１６▼刊行物１６（特開昭６２−９４８１８号公報）
▲１７▼刊行物１７（特開昭６１−５０１１５号公報）
（３）対比・判断
　本件発明は「偏光板の劣化がおこらない投写型カラー表示装置を提供する」ことを目的として、「色分離手段と第１の液晶ライトバルブの偏光板との間の赤色光の光路内に、該色分離手段により分離された赤色光を反射し赤外線を透過するミラーとして赤外線透過型ミラーを配置し、該赤外線透過型ミラーによって反射された赤外線を含まない赤色光を前記第１の液晶ライトバルブに入射させ、
　色分離手段と第３の液晶ライトバルブの偏光板との間の青色光の光路内に、該色分離手段により分離された青色光を反射し紫外線を透過するミラーとして紫外線透過型ミラーを配置し、該紫外線透過型ミラーによって反射された紫外線を含まない青色光を前記第３の液晶ライトバルブに入射させる」ことをその構成の特徴点とするものである。
　一方、刊行物１、２、３、４及び１４には、本件発明の構成要件を示す構成の一部が記載されてはいるももの、本件発明の上記構成の特徴点「色分離手段と第３の液晶ライトバルブの偏光板との間の青色光の光路内に、該色分離手段により分離された青色光を反射し紫外線を透過するミラーとして紫外線透過型ミラーを配置し、該紫外線透過型ミラーによって反射された紫外線を含まない青色光を前記第３の液晶ライトバルブに入射させる」ことは刊行物１、２、３、４及び１４のいずれにも記載されていない。　また、刊行物１、２、３、４及び１４に記載された個々の構成要件を組み合わせても、色分離手段と第３の液晶ライトバルブの偏光板との間の青色光の光路内に、該色分離手段により分離された青色光を反射し紫外線を透過するミラーとして紫外線透過型ミラーを配置することにより、該紫外線透過型ミラーによって反射された紫外線を含まない青色光を前記第３の液晶ライトバルブに入射させることは容易に考えることはできないから、刊行物１、２、３、４及び１４を組み合わせても、本件発明を容易に推考することができない。
　従って、本件発明は刊行物１、２、３、４及び１４に記載された発明にもとづいて当業者が容易に発明することができたものとすることはでない。
　そして、本件発明の特許は、上記刊行物１、２、３、４及び１４のいずれにも記載のない上記構成の特徴点を有することにより、特許明細書に記載されたとおりの、
「偏光板の劣化がおこらない投写型カラー表示装置を、付加する部品数を低減して、小型化することができる」という作用・効果を奏するものである。
　したがって、本件発明は特許出願の際独立して特許を受けることができるものである。
４．むすび
　以上のとおりであるから、上記訂正事項は、特許法第１２０条の４第２項及び同条第３項において準用する１２６条第２〜４項の規定に適合するので、当該訂正を認める。
ＩＩＩ．特許異議申立について
１．申立ての理由の概要
　特許異議申立人石田保は、証拠として甲第１号証（特開昭６４−２５１８７号公報）、甲第２号証（特開昭６３−２１６０２６号公報）、甲第３号証（特開昭６３−２３４２８１号公報）、甲第４号証（特開昭６２−４２１８２号公報）を提出し、本件請求項１に係る発明は、特許法第２９条第１項第３号の規定に違反してなされたものであり、本件請求項１〜６に係る発明は、特許法第２９条第２項の規定に違反してなされたものであるから、特許を取り消すべき旨主張している。
　特許異議申立人株式会社東芝は、証拠として甲第１号証（特開昭６４−２５１８７号公報）、甲第２号証（特開昭６１−１３０９８３号公報）、甲第３号証（特開昭６４−７４５８５号公報）を提出し、本件請求項１〜４に係る発明は、特許法第２９条第２項の規定に違反してなされたものであるから、特許を取り消すべき旨主張している。
　特許異議申立人杉浦一子は、証拠として甲第１号証（特開昭６３−１０１２８号公報）、甲第２号証（特開昭５４−１４６９９５号公報）、甲第３号証（特開昭５６−１９２６９号公報）、甲第４号証（実願昭６１−９８７２５号（実開昭６３−４５１６号）の願書に添付された明細書および図面の内容を撮影したマイクロフィルム）を提出し、本件請求項１〜４に係る発明は、特許法第２９条第２項の規定に違反してなされたものであるから、特許を取り消すべき旨主張している。
　特許異議申立人菅原益夫は、証拠として甲第１号証（米国特許明細書第４，７６３，９９３号）、甲第２号証（特開昭６３−１５２２５号公報）、甲第３号証（特表昭６２−５０２１４９号公報）を提出し、本件請求項１〜４に係る発明は、特許法第２９条第２項の規定に違反してなされたものであるから、特許を取り消すべき旨主張している。
　特許異議申立人大野幸子は、証拠として甲第１号証（特開昭６４−２８６７８号公報）、甲第２号証（特開昭６３−１１６１２３号公報）、甲第３号証（特開昭６２−９４８１８号公報）、甲第４号証（特開昭６１−５０１１５号公報）を提出し、本件請求項１に係る発明は、特許法第２９条第１項第３号の規定に違反してなされたものであり、本件請求項１〜６に係る発明は、特許法第２９条第２項の規定に違反してなされたものであるから、特許を取り消すべき旨主張している。
２．判断
　特許公報に記載された請求項１〜５に係る発明は、訂正の結果削除され、申立人株式会社東芝、杉浦一子、菅原益夫の特許異議申立の対象が存在しない。
　又、請求項６に係る発明については、上記ＩＩ．３．（３）で示したように、取消理由通知で示した刊行物に記載された発明から容易に発明をすることができたものとすることはできない。
３．むすび
　以上のとおりであるから、特許異議申立人の理由及び証拠によっては、本件発明の特許を取り消すことはできない。
　また、他に本件発明の特許を取り消すべき理由を発見しない。
　よって、結論のとおり決定する。
【異議決定日】
平成１１年９月１０日（１９９９．９．１０）
【訂正の要旨】
　訂正の要旨
▲１▼訂正事項ａ
　明細書の特許請求の範囲の請求項１〜５を削除する。
▲２▼訂正事項ｂ
　明細書の特許請求の範囲の請求項６において、「青色光赤」を「青色光」と訂正し、
　「前記色分離手段と前記第１の液晶ライトバルブの偏光板との間の光路内に、該色分離手段により分離された赤色光を反射するミラーとして赤外線透過型ミラーを配置し、」を「前記色分離手段と前記第１の液晶ライトバルブの偏光板との間の赤色光の光路内に、該色分離手段により分離された赤色光を反射し赤外線を透過するミラーとして赤外線透過型ミラーを配置し、該赤外線透過型ミラーによって反射された赤外線を含まない赤色光を前記第１の液晶ライトバルブに入射させ、」と訂正し、
　「前記光源と前記第３の液晶ライトバルブの偏光板との間の光路内に紫外線遮光手段を配置する」を
　「前記色分離手段と前記第３の液晶ライトバルブの偏光板との間の青色光の光路内に、該色分離手段により分離された青色光を反射し紫外線を透過するミラーとして紫外線透過型ミラーを配置し、該紫外線透過型ミラーによって反射された紫外線を含まない青色光を前記第３の液晶ライトバルブに入射させる」と訂正するとともに、
　訂正した請求項６を請求項１に繰り上げる。
▲３▼訂正事項ｃ
　明細書第３頁第３〜９行（平成８年３月７日付け手続補正書第１頁第７行〜第２頁第１８行）において、
　「第１に、光源と、該光源からの…第５に光源と、該光源からの光を赤色光、緑色光、青色光赤に分離する」（上記手続補正書第１頁第７行〜第２頁第８行）を
「光源と、該光源からの光を赤色光、緑色光、青色光に分離する」と訂正し、
　「前記色分離手段と前記第１の液晶ライトバルブの偏光板との間の光路内に、該色分離手段により分離された赤色光を反射するミラーとして赤外線透過型ミラーを配置し、」（上記手続補正書第２頁第１５〜１７行）を
「前記色分離手段と前記第１の液晶ライトバルブの偏光板との間の赤色光の光路内に、該色分離手段により分離された赤色光を反射し赤外線を透過するミラーとして赤外線透過型ミラーを配置し、該赤外線透過型ミラーによって反射された赤外線を含まない赤色光を前記第１の液晶ライトバルブに入射させ、」と訂正し、
　「前記光源と前記第３の液晶ライトバルブの偏光板との間の光路内に紫外線遮光手段を配置する」（上記手続補正書第２頁第１７〜１８行）を「前記色分離手段と前記第３の液晶ライトバルブの偏光板との間の青色光の光路内に、該色分離手段により分離された青色光を反射し紫外線を透過するミラーとして紫外線透過型ミラーを配置し、該紫外線透過型ミラーによって反射された紫外線を含まない青色光を前記第３の液晶ライトバルブに入射させる」と訂正する。
▲４▼訂正事項ｄ
　　明細書第３頁第１０行の「〔実施例〕」を「〔参考例〕」と訂正する。
▲４▼訂正事項ｅ
　　明細書第３頁第１１行の「本発明の一実施例」を「本発明の参考例」と訂正する。
▲５▼訂正事項ｆ
　明細書第３頁第１３行の「本発明」を「本発明の参考例」と訂正する。
▲６▼訂正事項ｇ
　明細書第５頁第１９行の「〔実施例２〕」を「〔実施例〕」と訂正する。
▲７▼訂正事項ｈ
　明細書第５頁第２０行の「第２の実施例」を「実施例」と訂正する。
▲８▼訂正事項ｉ
　明細書第８頁第３〜５行の「光源と透過型液晶ライトバルブとの間に紫外線遮光フィルター及び赤外線遮光フィルターを置く構造」を
「色分離手段と透過型液晶ライトバルブの偏光板との間に赤色光を反射し赤外線を透過する赤外線透過型ミラー及び青色光を反射し紫外線を透過する紫外線透過型ミラーを置く構造」と訂正する。
▲９▼訂正事項ｊ
　図面の簡単な説明において、
　「第１図は、本発明」を「第１図は、参考例」と訂正し、
　「第３図は、本発明」を「第３図は、参考例」と訂正し、
　「第４図は、本発明」を「第４図は、参考例」と訂正し、
　「第５図は、本発明」を「第５図は、参考例」と訂正する。
（５４）【発明の名称】
投写型カラー表示装置
（５７）【特許請求の範囲】
（１）光源と、該光源からの光を赤色光、緑色光、青色光に分離する色分離手段と、分離された後の赤色光を変調する第１の液晶ライトバルブと、分離された後の緑色光を変調する第２の液晶ライトバルブと、分離された後の青色光を変調する第３の液晶ライトバルブと、該第１、第２及び第３の液晶ライトバルブにより変調された色光を合成する色合成手段と、該色合成手段により合成された光を投写する投写光学手段とを備える投写型カラー表示装置において、
　前記各液晶ライトバルブは該ライトバルブの前記光源側に偏光板をそれぞれ配置し、
　前記色分離手段と前記第１の液晶ライトバルブの偏光板との間の赤色光の光路内に、該色分離手段により分離された赤色光を反射し赤外線を透過するミラーとして赤外線透過型ミラーを配置し、該赤外線透過型ミラーによって反射された赤外線を含まない赤色光を前記第１の液晶ライトバルブに入射させ、
　前記色分離手段と前記第３の液晶ライトバルブの偏光板との間の青色光の光路内に、該色分離手段により分離された青色光を反射し紫外線を透過するミラーとして紫外線透過型ミラーを配置し、該紫外線透過型ミラーによって反射された紫外線を含まない青色光を前記第３の液晶ライトバルブに入射させることを特徴とする投写型カラー表示装置。
【発明の詳細な説明】
〔産業上の利用分野〕
　本発明は透過型液晶ライトバルブを用いた投写型カラー表示装置に関する。
〔従来の技術〕
　従来、公開特許公報昭６２−９４８１８に記載され、第２図に示されるように、光源から発した白色光を、色光を分離するダイクロイックミラーにより、青色光、緑色光、赤色光に分離し、それらの各色光を、偏光板及び透過型液晶ライトバルブによって変調し、色光を合成するダイクロイックミラーにより色合成し、投写レンズによって画像をスクリーン上に投写する、投写型カラー表示装置が知られていた。
〔発明が解決しようとする課題〕
　しかし従来の技術では、光源から発した白色光を、ダイクロイックミラーで色分離する際、青色光には紫外線が赤色光には赤外線がそれぞれ含まれているため、透過型液晶ライトバルブより光源側におかれた偏光板のうち、赤色用の偏光板が赤外線により熱劣下をおこし、青色用の偏光板が紫外線の化学作用により劣下してしまうという問題点を有していた。
　よって本発明はこのような問題点を解決するもので、その目的とするところは、偏光板の劣化がおこらない投写型カラー表示装置を提供するところにある。
〔課題を解決するための手段〕
　本発明の投写型カラー表示装置は、光源と、該光源からの光を赤色光、緑色光、青色光に分離する色分離手段と、分離された後の赤色光を変調する第１の液晶ライトバルブと、分離された後の緑色光を変調する第２の液晶ライトバルブと、分離された後の青色光を変調する第３の液晶ライトバルブと、該第１、第２及び第３の液晶ライトバルブにより変調された色光を合成する色合成手段と、該色合成手段により合成された光を投写する投写光学手段とを備える投写型カラー表示装置において、
　前記各液晶ライトバルブは該ライトバルブの前記光源側に偏光板をそれぞれ配置し、
　前記色分離手段と前記第１の液晶ライトバルブの偏光板との間の赤色光の光路内に、該色分離手段により分離された赤色光を反射し赤外線を透過するミラーとして赤外線透過型ミラーを配置し、該赤外線透過型ミラーによって反射された赤外線を含まない赤色光を前記第１の液晶ライトバルブに入射させ、
　前記色分離手段と前記第３の液晶ライトバルブの偏光板との間の青色光の光路内に、該色分離手段により分離された青色光を反射し紫外線を透過するミラーとして紫外線透過型ミラーを配置し、該紫外線透過型ミラーによって反射された紫外線を含まない青色光を前記第３の液晶ライトバルブに入射させることを特徴とする。
〔参考例〕
　以下、本発明の参考例を図面に沿って説明する。
　第１図は本発明の参考例の投写型カラー表示装置の平面図である。投写光源１から発した白色光は、紫外線遮光フィルター２によって紫外線３２（約４００ｎｍ以下の光）が反射した光路を外れ、赤外線遮光フィルターによって赤外線が吸収され、可視光３０のみが導光管４内に入射する。
　ここで、導光管４内に入射した白色光は、まず青色反射ダイクロイックミラー５により、青色光（約５００ｎｍ以下の光）を反射し、その他の光（黄色光）を透過する。反射した青色光は反射ミラー９により方向を変え、青色変調液晶ライトバルブ１０Ｂに入射する。このとき、青色変調液晶ライトバルブの光源側に貼付された偏光板には、約４００ｎｍから約５００ｎｍまでの、紫外線を含まない青色光が、入射している。
　青色反射ダイクロイツクミラー５を透過した光は、緑色反射ダイクロイツクミラー６に入射し、緑色光（約５００ｎｍから約６００ｎｍの間の光）を反射し、その他の光である赤色光（約６００ｎｍ以上の光）を透過する。反射した緑色は緑色変調液晶ライトバルブ１０Ｇに入射し、透過した赤色光は、反射ミラー７及び反射ミラー８により方向を変え、赤色変調液晶ライトバルブ１０Ｒに入射する。このとき、赤色変調液晶ライトバルブの光源側に貼付された偏光板には、約６００ｎｍから約７６０ｎｍまでの、赤外線を含まない赤色光が、入射している。
　入射した各色光は、赤、青、緑の各色用の信号が加えられた各色変調液晶ライトバルブ１０Ｒ、１０Ｂ、１０Ｇを透過し、ダイクロイックプリズム１１で合成される。ダイクロイックプリズム１１は、赤反射面１０Ｒと青反射面１０Ｂが互いに直角になるように構成されている。
　このようにして合成されたカラー画像は、投写レンズ１２によって拡大投写され、スクリーン１３上に表示される。
　第３図は、紫外線遮光フィルターの透過特性を表し、第４図は、赤外線遮光フィルターの透過特性を表している。また、第５図は投写光源であるキセノンランプの出力特性である。
　以上の図のように、ランプより放射される電磁波のうち、約７６０ｎｍ以上の波長領域の電磁波である赤外線３１は、赤外線吸収フィルターで吸収され、約４００ｎｍ以下の波長領域の電磁波である紫外線３２は、紫外線遮光フィルターを反射する。
〔実施例〕
　以下、本発明の実施例を図面に沿って説明する。
　第６図は本発明の投写型カラー表示装置の平面図である。投写光源６１から発した白色光は導光管６２内に入射し、導光管６２内に入射した白色光は、まず青色反射ダイクロイックミラー６３により、青色光（約５００ｎｍ以下の光）を反射し、その他の光（黄色光）を透過する。
　反射した青色光は紫外線透過ミラー６６によって紫外線３２（約４００ｎｍ以下の光）が透過し光路を外れ、約４００ｎｍから約５００ｎｍの青色光が反射し方向を変え、青色変調液晶ライトバルブ６８Ｂに入射する。このとき、青色変調液晶ライトバルブの光源側に貼付された偏向板には、約４００ｎｍから約５００ｎｍまでの、紫外線３２を含まない青色光が、入射している。
　青色反射ダイクロイックミラー６３を透過した光は、緑色反射ダイクロイックミラー６４に入射し、緑色光（約５００ｎｍから約６００ｎｍの間の光）を反射し、その他の光である赤色光（約６００ｎｍ以上の光）を透過する。反射した緑色光は緑色変調液晶ライトバルブ６８Ｇに入射する。
　緑色反射ダイクロイックミラー６４を透過した赤色光は赤外線透過ミラー６５により、約７６０ｎｍ以上の波長領域の電磁波である赤外線３１を透過し、約６００ｎｍから約７６０ｎｍまでの赤色光が、赤外線透過ミラー６５および反射ミラー６７により反射され、赤色変調液晶ライトバルブ６８Ｒに入射する。このとき、赤色変調液晶ライトバルブの光源側に貼付された偏向板には、約６００ｎｍから約７６０ｎｍまでの、赤外線３１を含まない赤色光が、入射している。
　入射した各色光は、赤、青、緑の各色用の信号が加えられた各色変調液晶ライトバルブ６８Ｒ、６８Ｂ、６８Ｇを透過し、ダイクロイックプリズム６９で合成される。ダイクロイックプリズム６９は、赤反射面６９Ｒと青反射面６９Ｂが互いに直角になるように構成されている。
　このようにして合成されたカラー画像は、投写レンズ７０によって拡大投写され、スクリーン７１上に表示される。
〔発明の効果〕
　本発明の投写型カラー表示装置は、以上説明したように、色分離手段と透過型液晶ライトバルブの偏光板との間に赤色光を反射し赤外線を透過する赤外線透過型ミラー及び青色光を反射し紫外線を透過する紫外線透過型ミラーを置く構造にしたことにより、冷却装置の負担を軽減し、装置全体を小型化し、静粛性を高める効果がある。
　また、光源の光を色分離する手段の前に、赤外線遮光手段と紫外線遮光手段を共に配置したことにより、各色光はいずれも遮光手段を介することになるため、遮光手段による光の減衰量は各色光間で均一にすることができる。
　また、色光に分離された後に赤色光や青色光を反射する反射ミラーを赤外線透過型や紫外線透過型とすることにより、付加する部品数を低減して、小型化することができる。
【図面の簡単な説明】
　第１図は、参考例の投写型カラー表示装置の平面図。
　第２図は、従来例の投写型カラー表示装置の平面図。
　第３図は、参考例の投写型カラー表示装置に使用した紫外線遮光フィルターの特性図。
　第４図は、参考例の投写型カラー表示装置に使用した赤外線遮光フィルターの特性図。
　第５図は、参考例の投写型カラー表示装置に使用した投写ランプ（キセノンランプ）の出力特性図。
　第６図は、本発明の投写型カラー表示装置の平面図である。